(57)【要約】【課題】  光ディスクにおいて、比較的小容量の光ディスクフォーマットに従い大容量光ディスクに配列して、所望のフォーマット領域における速やかな情報の記録・再生動作を可能にする。【解決手段】  同心円状に物理的に配分された複数の記録領域を備え、予め各記録領域内の所定位置にリードイン領域及びリードアウト領域が設けられており、さらに、光ディスク全体を管理する情報が記録されるシステムリードイン領域が複数の記録領域の内周側または外周側に設けられていることを特徴とする光ディスクを提供する。【選択図】  図２
2006164351.tif 000002
【特許請求の範囲】
【請求項１】
光ディスクであって、
同心円状に物理的に分割された複数の記録領域を備え、
各記録領域内の所定位置にリードイン領域、リードアウト領域及びユーザデータ記録領域が設けられていることを特徴とする光ディスク。
【請求項２】
光ディスクであって、
同心円状に物理的に分割された複数の記録領域と、
上記複数の記録領域の内周側または外周側に設けられた上記光ディスク全体の管理情報が記録されるシステムリードイン領域とを備え、
各記録領域内の所定位置にリードイン領域、リードアウト領域及びユーザデータ記録領域が設けられていることを特徴とする光ディスク。
【請求項３】
上記ユーザデータ記録領域が、上記リードイン領域と上記リードアウト領域との間に設けられていることを特徴とする請求項１または２に記載の光ディスク。
【請求項４】
上記複数の記録領域が、それぞれ同じ容量を有することを特徴とする請求項１〜３のいずれか一項に記載の光ディスク。
【請求項５】
上記複数の記録領域が、それぞれ当該光ディスクより小容量の記録媒体と同等の容量を有することを特徴とする請求項１〜４のいずれか一項に記載の光ディスク。
【請求項６】
上記複数の記録領域が、当該光ディスクより小容量で且つ互いに異なる容量の複数の記録媒体とそれぞれ同等の容量を有する記録領域を含むことを特徴とする請求項１〜３のいずれか一項に記載の光ディスク。
【請求項７】
上記ユーザデータ記録領域に記録する情報または記録された情報に関するインデックス情報が、当該ユーザデータ記録領域を含む記録領域内のリードイン領域に記録されることを特徴とする請求項２に記載の光ディスク。
【請求項８】
請求項２に記載の光ディスクの駆動装置であって、
上記システムリードイン領域に記録された上記複数の記録領域に関する情報を読み取る手段を備えることを特徴とする光ディスク駆動装置。
【請求項９】
同心円状に物理的に分割された複数の記録領域と、該複数の記録領域の内周側または外周側に設けられた管理情報領域とを有する光ディスクの駆動装置であって、
光ヘッドと、
上記管理情報記録領域に記録された情報に基いて、上記光ヘッドを所望の記録領域に直接移動させる制御装置とを備えた光ディスク駆動装置。
【請求項１０】
さらに、上記管理情報記録領域に記録された情報を読み取る手段を備えることを特徴とする請求項９に記載の光ディスク駆動装置。
【請求項１１】
同心円状に物理的に分割された複数の記録領域と、該複数の記録領域の内周側または外周側に設けられた管理情報領域とを有する光ディスクの駆動装置であって、
光ヘッドと、
上記管理情報記録領域に記録された情報を読み取る手段と、
上記読み取る手段で得られた情報に基いて、上記光ヘッドを所望の記録領域に直接移動させる手段と、
上記所望の記録領域にリードイン情報を記録する手段とを備えた光ディスク駆動装置。
【発明の詳細な説明】
【技術分野】
【０００１】
本発明は光ディスク及び光ディスク駆動装置に関し、より詳細には、複数のセッションを備える光ディスク及びその光ディスク駆動装置に関する。
【背景技術】
【０００２】
近年、光ディスクの分野では、光ディスクの高密度化に伴い様々な容量の光ディスクが増えている。例えば、容量が７００ＭＢのＣＤ−ＲＯＭ、４．７ＧＢのＤＶＤ−ＲＯＭ、１５ＧＢのＨＤ  ＤＶＤ−ＲＯＭ,−Ｒ等があり、また、２５ＧＢ容量の光ディスクも提案されている。これらの光ディスクの一枚当たりの容量増加は技術の進展と需要要請に基づく開発の成果であるが、それらの容量は使用目的に応じて使い分けられている。例えば、ＣＤの容量は音楽情報を２時間記録するのに都合のよい容量で設定されており、ＤＶＤの容量はＭＰＥＧ２圧縮で動画を２時間記録するのに必要な容量として決められており、また、ＨＤ  ＤＶＤの容量はＨ.２６４圧縮で高精細画像動画を２時間記録するのに必要な容量として決められている。すなわち、これらの用途に必要な容量に相当する光ディスクが順次開発されてきた。
【０００３】
上述のような種々の光ディスクでは容量が異なるにも係らず、光ディスクの直径は１２０ｍｍで同じである。ユーザがそれらの光ディスクを使用する際、使用目的に応じて光ディスクの種類を選別すれば良いのであるが、それぞれの光ディスクのフォーマットが異なるため、一台の駆動装置でこれら全ての種類の光ディスクをサポートすることが求められている。しかしながら、光ディスクの記録再生に使用するレーザ波長は、ＣＤで７８０ｎｍ、ＤＶＤで６５０ｎｍ、そしてＨＤ  ＤＶＤでは４０５ｎｍと異なり、また、レーザ光を収束させる対物レンズのＮＡもそれぞれ異なる値で規格化されている。このような状況下で一台の駆動装置を全ての種類の光ディスクに対応させることは技術的に多くの課題を有しており、光ディスク駆動装置の開発において大きな負担となっていた。
【０００４】
上述のように、光ディスクは大容量記録を目指して開発を進めてきたが、ボリューム単位で完結するソフトに対して、依然として小容量の光ディスクを使用しているのも事実である。また、１枚の光ディスクを複数のセッションで分割し、複数の光ディスクとして記録するマルチセッションという記録方法もある。この記録方法は、例えば、ＣＤ−Ｒフォーマットではリードイン領域、データ領域及びリードアウト領域から構成されるが、この３領域を１組とし、この組（ボリューム）を１枚のＣＤディスク内に複数設けて、１枚のＣＤディスクに複数のボリュームを記録する方法である。
【０００５】
また、マルチセッションの光ディスクのように、より大容量の光ディスクに、より小さな容量を有する光ディスクの複数枚分の内容が収められれば、必要とする光ディスクの枚数を少なくすることができる。それゆえ、例えば、全集として編集される企画製品においては、コンパクトで省資源的な製品開発が可能になる。
【０００６】
ところで、このような従来のマルチセッションの光ディスクにおいて、順次ボリューム単位で記録する際の問題点を解消してエラー管理を行う駆動装置が提案されている（例えば、特許文献１参照）。また、記録フォーマットが異なるボリューム単位としての記録情報が、物理的に異なるレイヤーとして設けられているハイブリッドディスクと呼ばれる記録媒体も提案されている（例えば、特許文献２を参照）。
【０００７】
【特許文献１】特開平８−１８０４１１号公報（第８−９頁、第１，４及び７図）
【特許文献２】特開２００１−１６７５１５号公報（第５−６頁、第２図）
【発明の開示】
【発明が解決しようとする課題】
【０００８】
上述した従来のマルチセッションの光ディスクでは、直前に記録されたセッションのリードイン領域に、次のセッションのデータ記録位置（セッションの配置位置）が記録される。これはセッションの大きさを記録データの大きさで決めるためであり、記録容量を有効に使用する点においては有利な方法である。しかしながら、この方法では、最初のセッションのリードイン領域から順々にリードイン情報を読み出していかなければ最終セッションに辿り付けないので、複数のセッションがある場合は光ディスクの記録再生開始までの時間が長くなり、使い勝手が悪いという問題があった。また、セッションの数が多いほど、上記動作に要する時間が長くなるので、システム的に迅速な動作を期待できない方法であった。そこで、これらの課題を解決する方法が望まれている。また、上述したマルチセッションの光ディスクでは、セッション毎にリードイン領域とリードアウト領域を確保するため、ユーザが光ディスクの残りの記録可能容量を正確に判定することができないという問題もあった。なお、従来のマルチセッションの考え方は論理的な配置により一枚のディスクを複数のセッションに分割するものであり、一枚のディスクに異なるフォーマットを混在させるという考え方は存在しない。
【０００９】
本発明は上記課題を解決するためになされたものであり、本発明の第１の目的は、記録容量を増大させてより精細な動画の記録・再生を可能にする大容量光ディスクを提供することはもちろん、従来のマルチセッションの光ディスクのように比較的小容量の光ディスクアプリケーションを新規の大容量光ディスクに取り込みながらも、あたかもジュークボックスで所望のボリュームを選択して使用しているかのように、速やかに所望の記録領域における情報の記録・再生動作が可能になるフォーマットを有する光ディスク及びその駆動装置を提案することである。
【００１０】
さらに、本発明の第２の目的は、従来のマルチセッションでは実現できないＨＤ  ＤＶＤの中にＣＤやＤＶＤを混在させるというような異なる論理フォーマット仕様を同一ディスクに搭載させることを可能にすることである。すなわち、大容量媒体ではあるが、データの属性は小容量媒体のものと同じにするため、リードイン領域・データ領域・リードアウト領域の各領域を、例えばＣＤ−Ｒのマルチセッションフォーマットのように各セッションの記録位置が不定ではなく、物理的な特定位置に割り付けることによって複数の分割された記録領域における速やかな記録・再生動作を確保できるフォーマットを提供することである。
【課題を解決するための手段】
【００１１】
本発明の第１の態様に従えば、光ディスクであって、同心円状に物理的に分割された複数の記録領域を備え、各記録領域内の所定位置にリードイン領域、リードアウト領域及びユーザデータ記録領域が設けられていることを特徴とする光ディスクが提供される。
【００１２】
本発明の第１の態様に従う光ディスクは複数の記録領域から構成される光ディスクである。ただし、本発明の第１の態様に従う光ディスクは、大容量媒体であるのはもちろん、例えば、従来のＣＤ−Ｒのマルチセッションフォーマットの光ディスクのように各記録領域（セッション）の記録位置が不定ではなく、複数の記録領域を同心円状に物理的に分割し、各記録領域内のリードイン領域、ユーザデータ記録領域及びリードアウト領域を予め物理的な特定位置に割り付けた光ディスクである。本発明の第１の態様に従う光ディスクでは、各記録領域のリードイン領域及びリードアウト領域の位置が特定されているので、任意の記録領域におけるリードイン領域の情報を短時間で読み出すことができる。また、光ディスクが記録可能な光ディスクである場合には、リードイン領域にリードイン情報を書く際に必要なアクセス時間を一定にすることができるという利点もある。すなわち、本発明の第１の態様に従う光ディスクでは、所望の記録領域において速やかに情報の記録・再生動作を行うことができる。
【００１３】
本発明の第２の態様に従えば、光ディスクであって、同心円状に物理的に分割された複数の記録領域と、上記複数の記録領域の内周側または外周側に設けられた上記光ディスク全体の管理情報が記録されるシステムリードイン領域とを備え、各記録領域内の所定位置にリードイン領域、リードアウト領域及びユーザデータ記録領域が設けられていることを特徴とする光ディスクが提供される。
【００１４】
本発明の第２の態様に従う光ディスクでは、複数に配分した記録領域の管理情報は、光ディスク全体の管理情報領域であるシステムリードイン領域に記録される。このシステムリードイン領域は光ディスクの最内周付近の領域または最外周付近の領域に予め物理的に固定して設けられる。すなわち、システムリードイン領域は複数の記録領域よりさらに内周側または外周側に予め物理的に固定して設けられる。また、システムリードイン領域には、例えば、分割した各記録領域のリードイン領域の物理アドレス、ユーザデータ記録領域の物理アドレス及びリードアウト領域の物理アドレスが１組として記録され管理される。なお、これらの各領域の物理アドレスは必要に応じてマスタリング時のフォーマットを変更して形成しても良い。例えば、リードイン領域とリードアウト領域はユーザデータ記録領域と性格を異にするので、セキュリティのためのフォーマット情報を施しても良い。この場合、単体の光ディスクと同様にリファレンスデータを設けることが可能である。また、各領域の物理アドレスを予めピットで形成しても良い。
【００１５】
本発明の第２の態様に従う光ディスクでは、分割された各記録領域内のリードイン領域、ユーザデータ記録領域及びリードアウト領域が予め物理的な特定位置に割り付けられており、また、分割された記録領域毎のリードイン領域、ユーザデータ記録領域及びリードアウト領域の物理アドレスがシステムリードイン領域にセットで記録されているので、システムリードイン領域の情報を読み取ることにより、光ヘッドを直接所望のフォーマット領域に移動させることができる。それゆえ、速やかに所望の記録領域において情報の記録・再生動作を行うことができる。
【００１６】
本発明の第１または第２の態様に従う光ディスクでは、上記ユーザデータ記録領域が、上記リードイン領域と上記リードアウト領域との間に設けられていることが好ましい。
【００１７】
本発明の第１または第２の態様に従う光ディスクでは、上記複数の記録領域が、それぞれ同じ容量を有することが好ましい。
【００１８】
また、本発明の第１または第２の態様に従う光ディスクでは、上記複数の記録領域が、それぞれ当該光ディスクより小容量の記録媒体と同等の容量を有することが好ましい。
【００１９】
本発明の第１または第２の態様に従う光ディスクでは、上記複数の記録領域が、当該光ディスクより小容量で且つ互いに異なる容量の複数の記録媒体とそれぞれ同等の容量を有する記録領域を含むことが好ましい。
【００２０】
本発明の光ディスクにおける複数の記録領域の構成の具体例を図１及び図２に示す。本発明の光ディスクの一例として、図１に示すように、最内周の領域にシステムリードイン領域３を設け、システムリードイン領域３の外側の領域に複数の記録領域１１，１２，１３を同心円状に物理的に分割して設けた場合を示す。そして、各記録領域内のリードイン領域、リードアウト領域及びユーザデータ記録領域は各記録領域内の所定位置に予め固定して設けられている。例えば、図１及び２に示すように、記録領域１１のリードイン領域１１ａ及びリードアウト領域１１ｃをそれぞれ記録領域１１内の最内周側領域及び最外周側領域に設け、リードイン領域１１ａとリードアウト領域１１ｃとの間にユーザデータ記録領域１１ｂを設けることが好ましい。
【００２１】
また、本発明の光ディスクでは、分割された複数の記録領域が当該光ディスクより小容量記録媒体と同等の容量単位で分割されていることが好ましく、その容量は小容量記録媒体のフォーマット容量に等しいことが好ましい。その具体例を図３に示す。図３は記憶容量１５ＧＢのＨＤ  ＤＶＤに、容量７００ＭＢのＣＤ系光ディスク及び／又は容量４．７ＧＢのＤＶＤ系光ディスクを複数枚実装する場合の構成例である。
【００２２】
図３（ａ）は、１５ＧＢの容量を４．７ＧＢの容量で分割した構成であり、この場合、１枚のＨＤ  ＤＶＤに３枚のＤＶＤ系光ディスクを実装することが可能となる。図３（ｂ）は、１５ＧＢの容量を７００ＭＢの容量で分割した構成であり、この場合、１枚のＨＤ  ＤＶＤに１８枚のＣＤ系光ディスクを実装することが可能となる。図３（ｃ）は、１５ＧＢの容量を２つの４．７ＧＢ容量の領域と、６つの７００ＭＢ容量の領域とで構成した場合の一例であり、この場合には１枚のＨＤ  ＤＶＤに２枚のＤＶＤ系光ディスクと６枚のＣＤ系光ディスクを実装することが可能となる。図３（ｄ）は、１５ＧＢの容量を１つの４．７ＧＢ容量の領域と、１２つの７００ＭＢ容量の領域とで構成した場合の一例であり、この場合には１枚のＨＤ  ＤＶＤに１枚のＤＶＤ系光ディスクと１２枚のＣＤ系光ディスクを実装することが可能となる。図３（ｅ）は、図３（ｃ）の容量４．７ＧＢの領域と容量７００ＭＢの領域の配置パターンを変えた構成例である。
【００２３】
なお、図３に示した各容量の領域に記録されるデータは、各容量の領域に対応する小容量記録媒体のディスクの論理フォーマットで記録される。例えば、図３中の容量７００ＭＢの領域には、ＣＤ系光ディスクのディスクフォーマットで情報が記録され、容量４．７ＧＢの領域にはＤＶＤ系光ディスクのディスクフォーマットで情報が記録される。すなわち、本発明の光ディスクのフォーマットは、物理的に領域区分され、その領域を論理的に構成したフォーマットとなる。なお、図３の例では、ＣＤ系光ディスク及び／又はＤＶＤ系光ディスクに対応する容量の領域で構成した光ディスクについて説明したが、本発明はこれに限定されず、ＣＤ系光ディスクやＤＶＤ系光ディスクに対応する領域以外に、例えば、ＭＤやビデオテープ等の他の容量及びフォーマットに対応する容量の領域を設けることもできる。
【００２４】
また、本発明の第１または第２の態様に従う光ディスクでは、上記ユーザデータ記録領域に記録する情報または記録された情報に関するインデックス情報が、当該ユーザデータ記録領域を含む記録領域内のリードイン領域に記録されることが好ましい。
【００２５】
本発明の第３の態様に従えば、第２の態様に従う光ディスクの駆動装置であって、上記システムリードイン領域に記録された上記複数の記録領域に関する情報を読み取る手段を備えることを特徴とする光ディスク駆動装置が提供される。
【００２６】
本発明の第４の態様に従えば、同心円状に物理的に分割された複数の記録領域と、該複数の記録領域の内周側または外周側に設けられた管理情報領域とを有する光ディスクの駆動装置であって、光ヘッドと、上記管理情報記録領域に記録された情報に基いて、上記光ヘッドを所望の記録領域に直接移動させる制御装置とを備えた光ディスク駆動装置が提供される。
【００２７】
本発明の第４の態様に従う光ディスク駆動装置では、さらに、上記管理情報記録領域に記録された情報を読み取る手段を備えることが好ましい。
【００２８】
本発明の第５の態様に従えば、同心円状に物理的に分割された複数の記録領域と、該複数の記録領域の内周側及び／又は外周側に設けられた管理情報領域とを有する光ディスクの駆動装置であって、光ヘッドと、上記管理情報記録領域に記録された情報を読み取る手段と、上記読み取る手段で得られた情報に基いて、上記光ヘッドを所望の記録領域に直接移動させる手段と、上記所望の記録領域にリードイン情報を記録する手段とを備えた光ディスク駆動装置が提供される。
【発明の効果】
【００２９】
本発明の光ディスクによれば、複数の記録領域が同心円状に物理的に配分され、各記録領域内のリードイン領域、ユーザデータ記録領域及びリードアウト領域が予め特定の位置に割り付けられているので、所望の記録領域において速やかに情報の記録・再生動作を行うことができる。
【００３０】
本発明の光ディスクによれば、複数の記録領域が同心円状に物理的に配分され、各記録領域内のリードイン領域、ユーザデータ記録領域及びリードアウト領域が予め特定の位置に割り付けられ、且つ、複数の記録領域の内周側及び／又は外周側に設けられたシステムリードイン領域に光ディスク全体を管理する情報（各記録領域の物理アドレス等）が記録されているので、システムリードイン領域の情報を読み取ることにより、光ヘッドを直接所望の記録領域に移動させることが可能になり、所望の記録領域において速やかに情報の記録・再生動作を行うことができる。
【００３１】
また、本発明に光ディスクによれば、分割された複数のユーザデータ記録領域を、本発明の光ディスクよりフォーマット的に小容量の記録媒体の容量単位で配分することができる。それゆえ、本発明の光ディスクは、物理的には一枚の光ディスクありながら複数枚の光ディスクが同心円状に分割して実装されたような光ディスクとしてイメージすることができ、また、駆動装置側から見ると、複数の小容量光ディスクを束ねた構造の光ディスクとしてイメージすることができる。このような光ディスクでは、光ディスク全体の管理情報（システムリードイン領域の情報）を再生することにより、当該光ディスク内に幾つの小容量光ディスクに対応する領域が存在するか、またその配置はどうなっているかという情報が得られる。具体的には、束ねた小容量光ディスクに対応する領域の記録開始位置の情報、各少容量光ディスクに対応する領域の管理情報すなわちリードイン領域の位置情報等を得ることができる。これは、あたかもジュークボックスに格納されたディスクの配置番号を知り、そのディスクに格納された情報の管理情報を探るようなものである。
【００３２】
すなわち、本発明の光ディスクは大容量光ディスクに小容量光ディスクを複数組み合わせたものと論理的に等価となるので、本発明の光ディスクにおける情報の記録再生は、あたかも大容量光ディスク及びその駆動装置を用いて小容量光ディスクのデータを記録再生するかのようにして実現することができる。それゆえ、本発明の光ディスク及びその駆動装置によれば、世代間の仕様（レーザ波長やレンズＮＡ）の違いに関係無く、大容量ディスクで小容量ディスクのイミュレーションを行うことができ、複数の光ディスク相当の情報の記録再生を行うことが可能になる。
【００３３】
さらに、本発明の光ディスクによれば、複数の記録領域の物理的な位置を固定して、各記録領域を小容量光ディスクの記録再生と同様の動作が可能な領域として配分することができる。それゆえ、アクセス速度が向上し、単体の小容量光ディスクにおける記録再生動作と遜色のない使い勝手を実現することができる。また、本発明によれば、従来のように光ディスクの多岐にわたる世代の仕様に対応可能にするために駆動装置を複雑にしないでも、各種アプリケーションに適応したソフトの実現が可能になる。
【発明を実施するための最良の形態】
【００３４】
以下に、本発明の光ディスク及び光ディスク駆動装置について実施例を用いて具体的に説明するが、本発明はこれに限定されない。
【実施例】
【００３５】
［光ディスクの構成］
この例の光ディスクは複数の小容量光ディスクを束ねた構造のイメージを備えた光ディスクであり、その概略平面図を図１に示した。この例の光ディスク１では、図１に示すように、内周側からシステムリードイン領域３及び３つの記録領域１１，１２，１３（以下、イミュレーションディスク領域１１，１２，１３ともいう）をこの順で同心円状に物理的に分割して設けた。また、光ディスク１は、図１に示すように、スピンドル回転駆動用の孔２を備えている。なお、この例の光ディスクは、記録総容量１５ＧＢのＨＤ  ＤＶＤである。
【００３６】
イミュレーションディスク領域１１は、図１に示すように、リードイン領域１１ａ、ユーザデータ領域１１ｂ及びリードアウト領域１１ｃから構成され、イミュレーションディスク領域１１内の内周側からリードイン領域１１ａ、ユーザデータ領域１１ｂ及びリードアウト領域１１ｃの順で隣接して配置した。イミュレーションディスク領域１２及び１３においても、図１に示すように、イミュレーションディスク領域１１と同様の構成とした。この例では、図１に示すように、リードイン領域、ユーザデータ領域及びリードアウト領域を１組としたイミュレーションディスク領域を１枚の光ディスクに３組設けた。
【００３７】
システムリードイン領域３は、各イミュレーションディスク領域の配置に関する物理アドレス等の領域情報の他、光ディスク１全体の管理情報に関する情報が記録されている。例えば、各イミュレーションディスク領域のフォーマットの種別情報、ディスクの構成情報（配置情報、容量情報、セキュリティ情報等）等が記録されている。なお、この例では、システムリードイン領域３を複数のイミュレーションディスク領域１１，１２，１３より内周側の領域（光ディスク１の最内周付近の領域）に予め物理的に固定して設けたが、本発明はこれに限定されず、複数のイミュレーションディスク領域１１，１２，１３より外周側の領域（光ディスク１の最外周付近の領域）に設けても良いし、複数のイミュレーションディスク領域１１，１２，１３より内周側及び外周側の領域に設けても良い。
【００３８】
この例の光ディスクでは、複数のイミュレーションディスク領域が同心円状に物理的に分割され、各イミュレーションディスク領域の物理的な配置情報がシステムリードイン領域に記録されている。それゆえ、駆動装置で光ディスクを駆動した際に、システムリードイン領域の情報を読み取るだけで所望のイミュレーションディスク領域に直接光ヘッドを移動させることができ、所望のイミュレーションディスク領域のリードイン領域に速やかにアクセスすることができる。従来のマルチセッション方式では、上述のように直前に記録されたセッションのリードイン領域にのみ次のセッションの配置情報が記録されているため、最終のセッションに辿り着くには全てのセッションのリードイン情報を読み出す必要があり、セッションの数が多くなるとシステム的に迅速な動作を期待できなくなるという問題があった。しかしながら、本発明の光ディスクのように各イミュレーションディスク領域の物理的な配置を予め固定することにより上記問題を解消することができる。
【００３９】
図１に示した光ディスク１の複数のイミュレーションディスク領域の構成の論理的な配置を示したのが図２である。図２は、光ディスクの最内周部にシステムリードイン領域３を設け、その外側に各イミュレーションディスク領域１１〜１３を順次配置した構成を示している。なお、この例では、光ディスクを３組のイミュレーションディスク領域に分割した場合を示したが、本発明はこれに限定されず、３組より多く分割しても良いし、少なく分割しても良い。また、残余領域があっても良い。
【００４０】
また、この例の光ディスク（容量１５ＧＢのＨＤ  ＤＶＤ）において配置されたイミュレーションディスク領域の内容構成（容量構成）の具体例を図３に示した。ここでは、ＨＤ  ＤＶＤとしてライトワンス型記録媒体を想定して記録容量を１５ＧＢに設定しているが、記録容量が２３ＧＢと大きくなるリライタブル型に対しても本実施例と同様に実装することが可能である。なお、リライタブル型を想定した場合もまた、残余領域は別途複数の記録領域に配分しても良いし、そのまま未使用領域としても良い。
【００４１】
この例の光ディスクでは、図３（ａ）に示すように、１枚の光ディスクを容量４．７ＧＢの領域で３つの領域に配分した。容量４．７ＧＢはＤＶＤ系光ディスクの容量に対応する。すなわち、この例の光ディスクでは、ＤＶＤ系光ディスクを３枚分実装可能であり、１枚の光ディスクで３枚のＤＶＤ系光ディスクの記録再生が可能になる。なお、この例の光ディスクでは、図３（ａ）に示すような構成でイミュレーションディスク領域を配分したが、本発明はこれに限定されず、以下に説明する図３（ｂ）〜（ｅ）に示すような構成でイミュレーションディスク領域を配分しても良い。
【００４２】
図３（ｂ）の構成は、１枚のＨＤ  ＤＶＤを容量７００ＭＢの領域で１８つの領域に配分した場合の構成である。容量７００ＭＢはＣＤ系光ディスクの容量に対応する。すなわち、図３（ｂ）の構成は、１枚のＨＤ  ＤＶＤに容量７００ＭＢのＣＤ系光ディスクを１８枚実装した場合に相当する構成である。この場合も、配分した各ＣＤ系光ディスクの領域に対してリードイン領域及びリードアウト領域をそれぞれ組として設けることにより、各分割領域を単独のフォーマット領域としてアクセスすることができる。
【００４３】
また、本発明の光ディスクでは、１枚の光ディスク内にＤＶＤ系光ディスクに対応する領域とＣＤ系光ディスクに対応する領域とを混在して設けても良い。本発明の光ディスクのように物理的にディスクイメージの開始点と終了点が明確に規定されていれば、異なるフォーマットで記録されるディスクフォーマットのデータ領域であっても１枚の光ディスク内に混在させることができる。実際、従来のマルチドライブとして開発された駆動装置はＣＤ系やＤＶＤ系のディスクフォーマットをサポートしており、光ディスク内で異なるフォーマットのデータが混在していてもそれらの記録・再生動作に支障はない。
【００４４】
この例の１枚の光ディスク内にＤＶＤ系光ディスクに対応する領域とＣＤ系光ディスクに対応する領域とを混在させた場合の構成を図３（ｃ）〜（ｅ）に示した。図３（ｃ）は、この例の１枚の光ディスク（容量１５ＧＢのＨＤ  ＤＶＤ）内に、ＤＶＤ系光ディスクの容量に対応する容量４．７ＧＢの領域を２つ、ＣＤ系光ディスクの容量に対応する容量７００ＭＢの領域を６つ設けた場合の一構成例である。図３（ｄ）は、この例の１枚の光ディスク内に、ＤＶＤ系光ディスクの容量に対応する容量４．７ＧＢの領域を１つ、ＣＤ系光ディスクの容量に対応する容量７００ＭＢの領域を１２つ設けた場合の一構成例である。また、図３（ｅ）は、図３（ｃ）の各容量の領域の配置構成を変えた例である。ＤＶＤ系光ディスクの容量に対応する領域及びＣＤ系光ディスクの容量に対応する領域の配置の組合せは適宜変更可能である。なお、これらのイミュレーションディスク領域の配置情報はシステムリードイン領域に記録される。
【００４５】
なお、図３の例では、ＣＤ系光ディスク及び／又はＤＶＤ系光ディスクに対応する容量の領域で構成した光ディスクについて説明したが、本発明はこれに限定されず、例えば、ＭＤやビデオテープ等の他の記録媒体の容量及びフォーマットに対応する領域を含む構成にしても良い。
【００４６】
以上のように、本発明の光ディスクでは、１枚の大容量ディスクをそれより小容量の光ディスクフォーマットで分割して格納することにより複数の光ディスクのデータを１枚の光ディスクの中に包含させることができる。この際、光ディスク全体を管理するシステムリードイン領域に各イミュレーションディスク領域の配置情報とフォーマット種類を登録する必要があり、駆動装置はシステムリードイン領域に登録された情報に基いて分割された各イミュレーションディスク領域に対応したデータフォーマットで情報の記録・再生を行うことができる。
【００４７】
［光ディスク駆動装置］
次に、この例の光ディスク駆動装置について説明する。この例の光ディスク駆動装置の概略構成図を図４に示した。光ディスク駆動装置２０は、図４に示すように、主に、光ヘッド２１、レーザ駆動回路２２、サーボ制御回路２３、記録再生信号処理回路２４、スピンドルモータ２５、回転制御回路２６及びコントローラ２７を備える。
【００４８】
スピンドルモータ２５は、ターンテーブル上に載置された光ディスク１を所定回転数で回転させることができる。スピンドルモータ２５の回転数は回転制御回路２６により制御される。サーボ制御回路２３は、光ヘッド２１により検出されるフォーカスエラー信号やトラッキングエラー信号に基づいて、光ヘッド２１の光ディスク１上の位置や光ヘッド２１に搭載されているレンズの光軸方向の位置等を制御して、光ヘッド２１からのレーザ光を光ディスク１上の所望の位置に位置付ける回路である。コントローラ２７は、光ヘッド２１により読み出された情報を記録再生信号処理回路２４を介して取得し、その情報に基づいて光ディスク駆動装置２０全体の動作を制御する装置である。
【００４９】
［記録再生方法］
次に、この例の光ディスクを上述した光ディスク駆動装置で記録再生する際の手順を説明する。なお、下記の記録・再生動作は図４に示した光ディスク駆動装置２０のコントローラ２７により制御される。
【００５０】
まず、記録方法の手順を図５のフローチャートを用いて説明する。なお、図５には、イミュレーションディスク領域を単に領域と記載した。光ディスク駆動装置に光ディスクが挿入されると、初めに光ディスク駆動装置は、所定の位置(この例では光ディスクの最内周領域)に設けられたシステムリードイン領域に光ヘッドを位置づける（ステップＳ５１）。
【００５１】
次いで、システムリードイン領域に記録された情報、例えば、挿入された光ディスクのイミュレーションディスク領域の数、各イミュレーションディスク領域の配置及びディスクの属性等の情報を再生する（ステップＳ５２）。システムリードイン領域には、上述のように、駆動装置に挿入された光ディスクの属性(例えば、記録再生型か、再生専用型か)の情報、挿入された光ディスクに含まれるイミュレーションディスク領域数の情報、各イミュレーションディスク領域の容量の情報、各イミュレーションディスク領域のフォーマット情報（ＣＤ型かあるいはＤＶＤ型かという情報）、各イミュレーションディスク領域の物理位置の情報等が記録されている。
【００５２】
なお、システムリードイン領域のイミュレーションディスク領域の物理位置を再生して所望のイミュレーションディスク領域へ光ヘッドをアクセス動作させるためには、物理アドレスを予め光ディスクの全面に網羅しておく必要がある。例えばＣＤ−ＲやＤＶＤ−Ｒのような案内溝とその溝を緩やかに偏向してアドレス情報を埋め込む方法や、アドレスピットを設置する方法が既に提案されている。これらの物理アドレスはディスク領域を物理的に分割する手段として用いるため、光ディスク全面に渡り共通したフォーマットでアドレス情報を網羅しなければならない。
【００５３】
上述のようにステップＳ５２で、挿入された光ディスクにはどのようなイミュレーションディスク領域があるのか、また、それらのイミュレーションディスク領域の容量はどの位であるのかということが判断できる状態になる。それゆえ、ユーザは、この段階でどのイミュレーションディスク領域にアクセスしたら良いのかといったことを判断するために必要な情報が得られる。
【００５４】
次に、ステップＳ５２で、システムリードイン領域の情報を得た後、各イミュレーションディスク領域における記録動作に移る。まず、記録動作の要求の有無を判定する（ステップＳ５３）。記録動作の要求が無ければ、図５に示すように、ステップＳ５３の判定を繰り返す。
【００５５】
ステップＳ５３で記録動作の要求がある場合、挿入された光ディスクに異なる容量のイミュレーションディスク領域があるかどうか判定する（ステップＳ５４）。挿入された光ディスクに異なる容量のイミュレーションディスク領域がある場合（例えば、図３（ｃ）に示すような構成の光ディスク）、各イミュレーションディスク領域のフォーマットが異なるので、記録する情報のフォーマットに応じて記録すべきイミュレーションディスク領域を選択しなければならない。図３（ｃ）の例では、ＤＶＤ系光ディスクの情報を記録する場合にはＤＶＤ系光ディスクに対応するイミュレーションディスク領域に記録し、ＣＤ系光ディスクの情報を記録する場合にはＣＤ系光ディスクに対応するイミュレーションディスク領域に記録しなければならない。それゆえ、ステップＳ５４で挿入された光ディスクに異なる容量のイミュレーションディスク領域があると判定された場合には、ユーザからの入力により情報を記録するイミュレーションディスク領域を選択する（ステップＳ５５）。次いで、選択したイミュレーションディスク領域のリードイン領域に光ヘッドを移動させる（ステップＳ５６）。
【００５６】
一方、ステップＳ５４で挿入された光ディスクに異なる容量のイミュレーションディスク領域なしと判定された場合には、情報が記録されていない所定のイミュレーションディスク領域のリードイン領域に光ヘッドを移動させる（ステップＳ５６）。この際、基本的には、光ヘッドを前回記録されたイミュレーションディスク領域の次のイミュレーションディスク領域のリードイン領域に移動させる。より具体的には、内周側のイミュレーションディスク領域から記録する光ディスクでは、光ヘッドを前回記録されたイミュレーションディスク領域の外周側に隣接するイミュレーションディスク領域のリードイン領域に移動させ、外周側のイミュレーションディスク領域から記録する光ディスクでは、光ヘッドを前回記録されたイミュレーションディスク領域の内周側に隣接するイミュレーションディスク領域のリードイン領域に移動させる。
【００５７】
次いで、要求されたイミュレーションディスク領域のリードイン領域に移動した光ヘッドで、記録する情報を管理するために必要なリードイン情報をリードイン領域に記録する（ステップＳ５７）。次いで、要求されたイミュレーションディスク領域のユーザデータ領域に情報を記録する（ステップＳ５８）。情報の記録動作が終了したら、光ディスクへのアクセスを終了し（ステップＳ５９）、光ディスクを光ディスク駆動装置から排出して一連の記録動作を終了する。
【００５８】
次に、再生方法の手順を図６のフローチャートを用いて説明する。なお、図６には、イミュレーションディスク領域を単に領域と記載した。光ディスク駆動装置に光ディスクが挿入されると、初めに光ディスク駆動装置は、所定の位置(この例では光ディスクの最内周領域)に設けられたシステムリードイン領域に光ヘッドを位置づける（ステップＳ６１）。
【００５９】
次いで、システムリードイン領域に記録された情報、例えば、挿入された光ディスクのイミュレーションディスク領域の数、各イミュレーションディスク領域の配置及びディスクの属性等の情報を再生する（ステップＳ６２）。このステップＳ６２で、挿入された光ディスクにはどのようなイミュレーションディスク領域があるのか、また、それらのイミュレーションディスク領域の容量はどの位であるのかといったことを判断できる状態になる。すなわち、この段階でユーザがどのイミュレーションディスク領域にアクセスしたら良いのかといったことを判断するために必要な情報が得られる。例えば、光ディスク駆動装置に挿入された光ディスクがＲＯＭ媒体である再生専用媒体であった場合、挿入された光ディスクに記録された各イミュレーションディスク領域の名称と各イミュレーションディスク領域に記録されたコンテンツ情報を入手することができる。それゆえ、ユーザはアクセスしたい情報が記録されたイミュレーションディスク領域に即座にアクセスし、目的とする情報を得ることが可能になる。
【００６０】
次いで、ステップＳ６２で、システムリードイン領域の情報を得た後、再生動作の要求の有無を判定する（ステップＳ６３）。再生動作の要求が無ければ、図６に示すように、ステップＳ６３の判定を繰り返す。
【００６１】
ステップＳ６３で再生動作の要求がある場合、ユーザからの入力により再生するイミュレーションディスク領域を選択する（ステップＳ６４）。次いで、選択したイミュレーションディスク領域のリードイン領域に光ヘッドを移動させ（ステップＳ６５）、リードイン領域に記録されたイミュレーションディスク領域のコンテンツ情報を再生する（ステップＳ６６）。次いで、選択したイミュレーションディスク領域のユーザデータ情報を再生する（ステップＳ６７）。情報の再生動作が終了したら、光ディスクへのアクセスを終了し（ステップＳ６８）、光ディスクを光ディスク駆動装置から排出して一連の再生動作を終了する。
【００６２】
物理的に分割された複数のイミュレーションディスク領域を有する本発明の光ディスクでは、上述のようにして、情報の記録・再生動作を行う。なお、この例の光ディスク駆動装置の構成としては高密度記録対応の物理仕様を有することが前提ではあるが、本発明のような物理的に分割された複数のイミュレーションディスク領域構成の光ディスクに対応できる機能を有するソフトウエアが必要である。
【産業上の利用可能性】
【００６３】
上述のように、本発明の光ディスクでは、高密度記録媒体を複数の記録領域に物理的に配分し、各記録領域を独立した光ディスク単体として見なすことができる。また、本発明の光ディスクでは、物理的に配分された各記録領域内のリードイン領域、ユーザデータ記録領域及びリードアウト領域が予め特定の位置に割り付けられているので、所望の記録領域において速やかに情報の記録・再生動作を行うことができる。それゆえ、本発明の光ディスク及びその駆動装置は、拡張性が高く従来フォーマットと互換性のある光ディスク及びその駆動装置として好適である。
【図面の簡単な説明】
【００６４】
【図１】図１は、実施例の光ディスクの概略平面図である。
【図２】図２は、実施例の光ディスクにおける物理的に分割したイミュレーションディスク領域の構成を説明するための配置図である。
【図３】図３は、本発明の光ディスクにおける複数のイミュレーションディスク領域の配置例を示した図である。
【図４】図４は、実施例で用いた光ディスク駆動装置の概略構成図である。
【図５】図５は、本発明の光ディスクに情報を記録する際の手順を示したフローチャートである。
【図６】図６は、本発明の光ディスクの情報を再生する際の手順を示したフローチャートである。
【符号の説明】
【００６５】
１  光ディスク
３  システムリードイン領域
１１，１２，１３  イミュレーションディスク領域
１１ａ，１２ａ，１３ａ  リードイン領域
１１ｂ，１２ｂ，１３ｂ  ユーザデータ領域
１１ｃ，１２ｃ，１３ｃ  リードアウト領域
２０  光ディスク駆動装置
【図１】
2006164351.tif 000003
【図２】
2006164351.tif 000004
【図３】
2006164351.tif 000005
【図４】
2006164351.tif 000006
【図５】
2006164351.tif 000007
【図６】
2006164351.tif 000008